(57)【要約】本発明は、衣類の一部分を有するファブリック・インターコネクトに係る。該衣類は、導電性部分を有する電子装置の挿入を可能にするようシームレスな管状の弾性のチャンバを有するよう製造される。該チャンバは、略導電性である第１の内面と略非導電性である第２の内面、及び第１の内面に結合された少なくとも１つの繊維電極を有する。電子筐体は、少なくとも１つの導電性範囲を有する外部ケーシングを有する。電子筐体は、電子筐体の導電性範囲をファブリック・インターコネクトの（導電性である）第１の内面に接触させることによって、チャンバにおいて導電性及び非導電性の位置に対してそろえられ、従って電子装置を「オン」及び「オフ」に切り替える。例えば、電子装置をチャンバ内で回転させること、あるいは、電子装置を所定の位置に押すこと又は引くことによる。
2006527799.tif 000002
【特許請求の範囲】
【請求項１】
ファブリック・インターコネクトであって、
繊維電極を有する衣類と、回路に接続された外面上に導電性範囲を有する電子機器筐体とを相互接続するよう使用され、
前記ファブリック・インターコネクトは、
略導電性であり前記繊維電極に結合された第１の内面と、略非導電性である第２の内面と、を有する前記衣類の一部分を有し、
前記第１の内面と前記第２の内面はチャンバを形成するようシームレスに製造され、
前記電子機器筐体が所定の位置で前記チャンバへと挿入される際に、前記電子機器筐体の前記導電性範囲と前記第１の内面とを接触させ、前記衣類の前記繊維電極と前記回路との間に相互接続を形成させる、
ファブリック・インターコネクト。
【請求項２】
前記電子機器筐体を前記所定の位置に位置付けるよう、前記チャンバに力が加えられる、
請求項１記載のファブリック・インターコネクト。
【請求項３】
前記電子機器筐体を前記所定の位置に位置付けるよう、前記電子機器筐体に力が加えられる、
請求項１記載のファブリック・インターコネクト。
【請求項４】
前記第１及び第２の内面は可撓性である、
請求項１記載のファブリック・インターコネクト。
【請求項５】
前記第１及び第２の内面は弾性である、
請求項１記載のファブリック・インターコネクト。
【請求項６】
前記チャンバは、管状の形状を有する、
請求項１記載のファブリック・インターコネクト。
【請求項７】
前記力は回転力である、
請求項３記載のファブリック・インターコネクト。
【請求項８】
前記力は、前記電子機器筐体とシームレス・チャンバとの間の挿入又は引戻しの力である、
請求項３記載のファブリック・インターコネクト。
【請求項９】
前記第１の内面は、複数の第１の内面であり、前記第２の内面は、複数の第２の内面であり、前記複数の第１の内面の夫々は、前記複数の第２の内面のうちの１つとそろえられる、
請求項１記載のファブリック・インターコネクト。
【請求項１０】
前記電子機器筐体は、心拍数モニタの一部分である、
請求項１記載のファブリック・インターコネクト。
【請求項１１】
電子機器筐体であって、
繊維筐体を有する衣類においてファブリック・インターコネクトを有して使用され、
前記電子機器筐体は、
略導電性範囲を有する筐体と、前記導電性範囲に結合された回路と、を有し、
前記導電性範囲は、所定の位置で、前記ファブリック・インターコネクトのシームレス・チャンバへと挿入されるよう構成され、前記電子機器筐体の前記導電性範囲と前記ファブリック・インターコネクトの前記シームレス・チャンバの導電性の内面とを接触させ、前記衣類の前記繊維電極と前記回路との間に相互接続を形成させる、
電子機器筐体。
【請求項１２】
前記電子機器筐体の機能性を示すインジケータを更に有する、
請求項１０記載の電子機器筐体。
【請求項１３】
前記インジケータは、ディスプレイである、
請求項１０記載の電子機器筐体。
【請求項１４】
前記導電性範囲は、複数の導電性範囲であり、ケーシング上に複数の非導電性範囲を更に有し、前記複数の導電性範囲の夫々は、前記複数の非導電性範囲のうちの１つとそろえられる、
請求項１０記載の電子機器筐体。
【請求項１５】
前記電子機器筐体の前記機能性は、前記シームレス・チャンバにおける所定の位置に対応する、
請求項１３記載の電子機器筐体。
【請求項１６】
前記シームレス・チャンバの導電性内面は、複数の導電性内面であり、前記シームレス・チャンバは、複数の非導電性内面を更に有し、前記導電性内面の夫々は、前記非導電性内面のうちの１つとそろえられる、
請求項１５記載の電子機器筐体。
【請求項１７】
前記電子機器筐体の前記機能性は、前記電子機器筐体の所定の数の導電性範囲と接触する前記シームレス・チャンバの所定の数の導電性内面に対応する、
請求項１５記載の電子機器筐体。
【発明の詳細な説明】
【技術分野】
【０００１】
本発明は、ファブリック・インターコネクト（ｆａｂｒｉｃ  ｉｎｔｅｒｃｏｎｎｅｃｔ）のシステムに係る。更に特には、本発明は、導電性トレース、バイオセンサ、電極として使用される多種の縫われた繊維又は織られた繊維における着用可能な導電繊維に対するファブリック・インターコネクトのシステムに係る。
【背景技術】
【０００２】
導電性トレース、バイオセンサ、電極として使用される多種の縫われた繊維又は織られた繊維における一体化された電子及び導電性の繊維、及び他の着用可能な電子装置の使用は、周知である。しかしながら、最新の着用可能な電子応用の１つの課題は、電子機器の中には繊維に組み込まれ得ないものがあることである。これは、主に水洗性の問題のためである。例えば、一般的なスポーツ応用のための着用可能な心拍モニタ（ＷＨＲＭ）の場合、電極は、全て繊維で作られ得、ランニングウェア等の衣類へと完全に組み込まれ得る。しかし、電極からデータを収集して時計等の装置にワイヤレスで送信する電子機器は、個々の小さなユニットに有される。該ユニットは、繊維電極に接続されたトラッキングとの優れた電気接触を作り得るよう、衣類上に取り付けられ得る。製造コストの目的に対しては、電極を有する衣類全体、トラッキング、及び相互接続方法が全てシームレスな工程において１つの機械で一度に作られることが非常に望ましい。故に、上述された課題の無いファブリック・インターコネクトが必要とされる。本発明の望ましい実施例が、この必要性を満たす。
【発明の開示】
【発明が解決しようとする課題】
【０００３】
本発明は、強化されたファブリック・インターコネクト方法を与え、多種の着用可能な電子装置及び／又はセンサ等の電子機器を、一体化された繊維電極を有する衣類に取り付けるようにすることを、目的とする。
【０００４】
本発明は、かかるファブリック・インターコネクトの方法を与え、機械的及び電気的接続を確実にすることを、他の目的とする。
【０００５】
更に本発明は、かかるファブリック・インターコネクトの方法を与え、織った後の介入（ｐｏｓｔ  ｋｎｉｔｔｉｎｇ  ｉｎｔｅｒｖｅｎｔｉｏｎｓ）が最小である織機で製造することができるようにすることを、他の目的とする。
【課題を解決するための手段】
【０００６】
本発明のこれらの及び他の目的は、ファブリック・インターコネクトによって達成される。該ファブリック・インターコネクトは、導電性の部分を有する電子装置の挿入ができるようシームレス・チャンバを有して製造された衣類の一部を有する。該チャンバは、略導電性の第１の内面と略非導電性の内面、及び、第１の内面に結合された少なくとも１つの繊維電極を有する。電子筐体は、少なくとも１つの導電性範囲を有する外部ケーシング有する。電子筐体は、電子筐体の導電性範囲をファブリック・インターコネクトの（導電性である）第１の内面と接触させることによって、導電性及び非導電性範囲に対してチャンバ内でそろえられ得、従って、電子装置を「オン」及び「オフ」に切り替える。例えば、チャンバ内で電子装置を回転させること、あるいは、電子装置を所定の位置に押すこと又は引くことによる。望ましくは、チャンバは可撓性又は弾性であり、管状の形状を有する。
【発明を実施するための最良の形態】
【０００７】
本発明は、以下の望ましい実施例の詳細な説明を添付の図面と合わせて参照することによって、より完全に理解される。
【０００８】
図面、特には図１を参照すると、本発明に従った改善されたファブリック・インターコネクトを図示し、全体的に参照符号１０で示す。本発明は、例えば、心拍モニタ（ＨＲＭ）の電子機器筐体１２が繊維電極を有する衣類１４上に取り付けられることを可能にする。図２は、図１のファブリック・インターコネクト及びファブリック・インターコネクトを有して使用される電子筐体１２を図示する。図３は、挿入された電子筐体１２を有する図２のファブリック・インターコネクトの一部分を図示する。
【０００９】
図１乃至図３を参照すると、ファブリック・インターコネクト１０は、衣類１４の一部分を有し、該衣類は、第１の内面２２及び第２の内面２４によって形成されたシームレス・チャンバ２０を有する。第１の内面２２は、略導電性である。第２の内面２４は、略非導電性である。加えて、少なくとも１つの繊維電極３０は、チャンバ２０の導電性の部分（第１の内面２４）に結合される。
【００１０】
有利には、電極、トラッキング、及びインターコネクト方法を合わせた衣類全体がシームレス工程において１つの機械で一度に作られるため、製造コストは低減される。かかる機械の一例は、サントーニ（ｓａｎｔｏｎｉ）丸織機である。
【００１１】
ファブリック・インターコネクト１０は、略管／楕円の形状を有するシームレス管又はチャンバを有する。しかしながら、ファブリック・インターコネクト１０に対する他の形状はまた、環状又は矩形を含み使用され得る。望ましくは、ファブリック・インターコネクト１０は、弾性を有する材料で作られる。
【００１２】
電子筐体１２は、導電性範囲２６を有するケーシング２８を有する。例えば、ケーシング２８は、プラスチック等の全ての従来の材料で作られ得、導電性範囲２６は、導電性の炭化プラスチックで作られ得る。導電性範囲２６は、内部で及び部分的に筐体内の電子機器回路（図示せず）に結合され、衣類１４の電極２２との接続の選択的な開閉を要求する。上述された通り、チャンバ又は管は、チャンバへの電子機器筐体１２の挿入を可能とさせる開口（編んだ後の介入）を有する。
【００１３】
電子筐体１２は、チャンバ内で、導電性及び非導電性の位置に整列され得、それによって電子装置を「オン」及び「オフ」に切り替える。例えば、チャンバ内で電子筐体１２を回転させることによって、ユーザは、チャンバの内側部分の導電性範囲を電子装置の外側の導電性の面範囲に接触させることができ、その結果電子装置のスイッチをオンに入れることができる。同様にして、電子筐体１２は、チャンバに挿入され得るが、回転されることによってスイッチがオフにされ得るため、個別の導電性部分又は範囲の間で電気接点は無い。
【００１４】
本実施例では、チャンバのファブリック・インターコネクト壁の弾性は、チャンバ内の電子装置を維持する必要な力、及び個別の導電性範囲の間の優れた電気接点を維持する力を与える。しかしながら当業者は、繊維ラッチ又はボタンが衣類へと縫いこまれ得る等の他の方法が利用されることを認識する。
【００１５】
図３を参照すると、ファブリック・インターコネクト１０は、電子筐体１２が挿入されて図示される。電子筐体１２の挿入は、導電子装置の電性範囲２６がファブリック・インターコネクト１０の導電性の第１の内面２２と接触するようにできる。導電性範囲２６と第１の内面２２との接触は、相互接続を形成する。
【００１６】
図４乃至図６を参照すると、本発明に従ったファブリック・インターコネクト、及びファブリック・インターコネクトを有して使用される電子装置が図示され、全体的に参照符号１００で示される。ファブリック・インターコネクト１００は、後に詳細が説明されるが、少なくとも２つの導電性内面を有する。ファブリック・インターコネクト１０及び１００のいずれにも共通する特性は、同一の参照符号で印される。
【００１７】
図４乃至図６を参照すると、ファブリック・インターコネクト１００は、複数の第１の内面２２及び複数の第２の内面２４によって形成されたチャンバ２０を有する衣類１４の一部分を有する。第１の内面２２は、略導電性である。第２の内面２４は、略非導電性である。加えて、少なくとも１つの繊維電極３０（図示せず）は、チャンバ２０の導電性の部分（第１の内面２４）に結合される。
【００１８】
ファブリック・インターコネクト１００は、略管／楕円の形状を有するシームレス管又はチャンバである。しかしながら、ファブリック・インターコネクト１００に対する他の形状は、環状又は矩形を含み使用され得る。望ましくは、ファブリック・インターコネクト１００は、弾性を有する材料で作られる。
【００１９】
電子筐体１２は、導電性範囲２６及びＬＣＤ等のディスプレイ装置１０２を有するケーシング２８を有する。ケーシング２８は、プラスチック等の全ての従来の材料で作られ得、導電性範囲２６は、導電性の炭化プラスチックで作られ得る。導電性範囲２６は、内部で及び部分的に筐体内の電子機器回路（図示せず）に結合され、衣類１４の電極２２との接続の選択的な開閉を要求する。上述された通り、チャンバ又は管は、チャンバへの電子機器筐体１２の挿入を可能とさせる開口（編んだ後の介入）を有する。
【００２０】
電子筐体１２は、チャンバ内で複数の位置に対してそろえられ得、それによって電子装置が異なる機能性を取り込むことができる。例えば、チャンバ内で電子筐体１２を押すこと又は引くことによって、ユーザは、チャンバの第１の内面２２の１つ又はそれ以上の導電性範囲を、電子装置の導電性の面範囲２６と接触させることができる。従って、ユーザは、電子装置を更に又はより少なくチャンバへと挿入することによって、異なる機能性を多種の位置に対応して選択することができる。異なる機能性の表示は、ディスプレイ装置１０２上に表示される。
【００２１】
図５を参照すると、ファブリック・インターコネクト１００は、電子筐体１２を挿入されて図示される。電子筐体１２の挿入は、電子装置の導電性範囲２６をファブリック・インターコネクト１０の導電性の第１の内面２２と接触させることができる。導電性範囲２６と第１の内面２２との接触は、相互接続を形成する。
【００２２】
本発明は、最良の形態を特に参照して説明されたが、添付の請求項で定義付けられた本発明の趣旨及び範囲から逸脱することなく多種の変更及び修正がなされ得ることは明らかである。
【図面の簡単な説明】
【００２３】
【図１】本発明に従ったファブリック・インターコネクトを有する衣類の前面図である。
【図２】図１中のファブリック・インターコネクト、及びファブリック・インターコネクトを有して使用される電子装置を図示する。
【図３】挿入された電子装置を有する図２中のファブリック・インターコネクトの一部分を図示する。
【図４】本発明に従ったファブリック・インターコネクト及びファブリック・インターコネクトを有して使用される電子装置の他の実施例を図示する。
【図５】挿入された電子装置を有する図４中のファブリック・インターコネクトを図示する。
【図６】本発明に従ったファブリック・インターコネクト及びファブリック・インターコネクトを有して使用される電子装置の他の実施例を図示する。
【図１】
2006527799.tif 000003
【図２】
2006527799.tif 000004
【図３】
2006527799.tif 000005
【図４】
2006527799.tif 000006
【図５】
2006527799.tif 000007
【図６】
2006527799.tif 000008
【手続補正書】
【提出日】平成18年5月16日(2006.5.16)
【手続補正１】
【補正対象書類名】特許請求の範囲
【補正対象項目名】請求項１２
【補正方法】変更
【補正の内容】
【請求項１２】
前記電子機器筐体の機能性を示すインジケータを更に有する、
請求項１１記載の電子機器筐体。
【手続補正２】
【補正対象書類名】特許請求の範囲
【補正対象項目名】請求項１４
【補正方法】変更
【補正の内容】
【請求項１４】
前記導電性範囲は、複数の導電性範囲であり、ケーシング上に複数の非導電性範囲を更に有し、前記複数の導電性範囲の夫々は、前記複数の非導電性範囲のうちの１つとそろえられる、
請求項１１記載の電子機器筐体。
【手続補正３】
【補正対象書類名】明細書
【補正対象項目名】０００９
【補正方法】変更
【補正の内容】
【０００９】
図１乃至図３を参照すると、ファブリック・インターコネクト１０は、衣類１４の一部分を有し、該衣類は、第１の内面２２及び第２の内面２４によって形成されたシームレス・チャンバ２０を有する。第１の内面２２は、略導電性である。第２の内面２４は、略非導電性である。加えて、少なくとも１つの繊維電極３０は、チャンバ２０の導電性の部分（第１の内面２２）に結合される。
【手続補正４】
【補正対象書類名】明細書
【補正対象項目名】００１７
【補正方法】変更
【補正の内容】
【００１７】
図４乃至図６を参照すると、ファブリック・インターコネクト１００は、複数の第１の内面２２及び複数の第２の内面２４によって形成されたチャンバ２０を有する衣類１４の一部分を有する。第１の内面２２は、略導電性である。第２の内面２４は、略非導電性である。加えて、少なくとも１つの繊維電極３０（図示せず）は、チャンバ２０の導電性の部分（第１の内面２２）に結合される。
【国際調査報告】
2006527799.tif 000009
2006527799.tif 000010
2006527799.tif 000011